(57)【要約】【課題】本発明は、中和容器の内部にトラップを設ける必要がなくなり、中和剤の投入口がひとつであっても中和剤の投入が容易でメンテンス作業がし易い燃焼機器を提供することを目的とする。【解決手段】本発明は、潜熱回収の際に生じたドレン水を中和容器に導くドレン配管と、このドレン水を中和して排出する中和容器を有する燃焼機器において、排気ガスを捕集するトラップが、ドレン配管の途中に設けられており、中和容器が、その一方の側面に設けられたドレン水の導入口と、導入されたドレン水を中和する中和剤と、他方の前記側面に設けられた中和後のドレン水を排出する排出口と、中和容器の幅方向における導入口と排出口との間に上下方向に設けられた仕切り壁とを有し、仕切り壁は、中和容器の天部及び底部の手前まで到るように設けられ、天部の一部に、仕切り壁を跨ぐように、中和剤の投入口が設けられた燃焼機器である。【選択図】図６
2009115427.tif 000002
【特許請求の範囲】
【請求項１】
バーナで発生した燃焼ガスから顕熱を回収する一次熱交換器と、
この一次熱交換器を通過した排気ガスから潜熱を回収する二次熱交換器と、
この潜熱回収の際に生じたドレン水を中和容器に導くドレン配管と、
このドレン水を中和して排出する中和容器を有する燃焼機器において、
前記排気ガスを捕集するトラップが、前記ドレン配管の途中に設けられており、
前記中和容器が、その一方の側面に設けられた前記ドレン水の導入口と、この導入されたドレン水を中和する中和剤と、他方の前記側面に設けられた中和後のドレン水を排出する排出口と、前記中和容器の幅方向における前記導入口と排出口との間に上下方向に設けられた仕切り壁とを有し、
前記仕切り壁は、前記中和容器の天部及び底部の手前まで到るように設けられ、
前記天部の一部に、前記仕切り壁を跨ぐように、前記中和剤の投入口が設けられた燃焼機器。
【請求項２】
請求項１において、
中和剤の投入口が円形の開口を有し、
前記開口の幅方向の一方の端部と仕切り壁上端との距離、及び、他方の前記端部と仕切り壁上端との距離が、何れも前記開口の直径以上である燃焼機器。
【請求項３】
請求項１または２において、
開口の幅方向の一方の端部と仕切り壁上端との距離、及び、他方の前記端部と仕切り壁上端との距離が、仕切り壁の下端から底部までの距離よりも大きい燃焼機器。
【請求項４】
請求項１から３の何れかにおいて、
中和容器の横断面が略長方形であり、
投入口及びこの投入口に設けられる蓋が、平面視で、前記横断面の短尺方向の長さと略等しい直径を有する円形とされた燃焼機器。
【請求項５】
請求項１から４の何れかにおいて、
仕切り壁の上端がドレン水の導入口の上端と同等の高さであり、かつ、仕切り壁の下端が排出口よりも低い位置まで到るように設けられることにより、
中和容器に導入されたドレン水が、略Ｕ字形の流路を形成する燃焼機器。
【発明の詳細な説明】
【技術分野】
【０００１】
本発明は、潜熱回収型の燃焼機器に関する。
【背景技術】
【０００２】
近年、燃焼機器への高効率化の要求の高まりから、いわゆる潜熱回収型の燃焼機器が普及している。このような、潜熱回収型の燃焼機器は、燃焼ガスからの顕熱を回収する一次熱交換器と、排気ガスからの潜熱の回収を行う二次熱交換器とを備えるのが一般的である。
【０００３】
二次熱交換器では、排気ガスからの潜熱回収を行う際に、排気ガス中の硫黄成分等を含んだ強酸性のドレン水が発生する。このため、二次熱交換器で発生したドレン水は、ドレン受け皿で集められ、ドレン配管によって中和容器に導かれ、中和後に排出される。
【０００４】
このとき、ドレン配管には、二次熱交換器からドレン水とともに排気ガスも入り込むため、ドレン配管の途中や中和容器には、この排気ガスのトラップが個別の部品として設けられる。
【０００５】
このような排気ガスのトラップとしては、中和容器の内部に仕切り壁を設けて、ドレン水が通過する経路をＵ字形、またはＷ字形に構成することで、トラップとしたものが知られている（特許文献１〜３）。
【特許文献１】特開２００１−２４１７６４号公報
【特許文献２】特許３７８６０４６号公報
【特許文献３】特開２００６−１３０４２２号公報
【発明の開示】
【発明が解決しようとする課題】
【０００６】
しかしながら、特許文献１〜３では、中和容器の内部にトラップを形成するため、少なくとも一箇所は必ず仕切り壁を天部にまで到らせる必要があるため、天部に設ける中和剤の投入口が仕切り壁で仕切った領域毎に必要になり、中和容器の構造が複雑になる問題があった。中和剤の投入口を一つとすると、仕切り壁で仕切った領域の全体に中和剤を行き渡らせて充填することが面倒になり、特にメンテンス時には作業性が悪くなる問題があった。
【０００７】
本発明は、上記問題を解決するためになされたものであり、金属製のドレン配管自体で排気ガスのトラップを構成することによって、個別の部品としてトラップを取り付けるための組み立てが不要であり、かつ、トラップが耐熱性で劣化し難く、しかも、中和容器の内部にトラップを設ける必要がなくなり、中和剤の投入口がひとつであっても中和剤の投入が容易でメンテンス作業がし易い燃焼機器を提供することを目的とする。
【課題を解決するための手段】
【０００８】
本発明は、以下に関するものである。
（１）  バーナで発生した燃焼ガスから顕熱を回収する一次熱交換器と、この一次熱交換器を通過した排気ガスから潜熱を回収する二次熱交換器と、この潜熱回収の際に生じたドレン水を中和容器に導くドレン配管と、このドレン水を中和して排出する中和容器を有する燃焼機器において、前記排気ガスを捕集するトラップが、前記ドレン配管の途中に設けられており、前記中和容器が、その一方の側面に設けられた前記ドレン水の導入口と、この導入されたドレン水を中和する中和剤と、他方の前記側面に設けられた中和後のドレン水を排出する排出口と、前記中和容器の幅方向における前記導入口と排出口との間に上下方向に設けられた仕切り壁とを有し、前記仕切り壁は、前記中和容器の天部及び底部の手前まで到るように設けられ、前記天部の一部に、前記仕切り壁を跨ぐように、前記中和剤の投入口が設けられた燃焼機器。
（２）  （１）において、中和剤の投入口が円形の開口を有し、前記開口の幅方向の一方の端部と仕切り壁上端との距離、及び、他方の前記端部と仕切り壁上端との距離が、何れも前記開口の直径以上である燃焼機器。
（３）  （１）または（２）において、開口の幅方向の一方の端部と仕切り壁上端との距離、及び、他方の前記端部と仕切り壁上端との距離が、仕切り壁の下端から底部までの距離よりも大きい燃焼機器。
（４）  （１）から（３）の何れかにおいて、中和容器の横断面が略長方形であり、投入口及びこの投入口に設けられる蓋が、平面視で、前記横断面の短尺方向の長さと略等しい直径を有する円形とされた燃焼機器。
（５）  （１）から（４）の何れかにおいて、仕切り壁の上端がドレン水の導入口の上端と同等の高さであり、かつ、仕切り壁の下端が排出口よりも低い位置まで到るように設けられることにより、中和容器に導入されたドレン水が、略Ｕ字形の流路を形成する燃焼機器。
【発明の効果】
【０００９】
本発明によれば、金属製のドレン配管自体で排気ガスのトラップを構成することによって、個別の部品としてトラップを取り付けるための組み立てが不要であり、かつ、トラップが耐熱性で劣化し難く、しかも、中和容器の内部にトラップを設ける必要がなくなり、中和剤の投入口がひとつであっても中和剤の投入が容易でメンテンス作業がし易い燃焼機器を提供することができる。
【発明を実施するための最良の形態】
【００１０】
本発明の対象となる燃焼機器は、例えば、図１の動作原理図に示すように、燃料ガスを燃焼するバーナ１１と、このバーナ１１で発生した燃焼ガスから顕熱を回収する一次熱交換器１０と、この一次熱交換器１０を通過した排気ガスから潜熱を回収する二次熱交換器８と、この２次熱交換器８で凝縮したドレン水９を受けるドレン受け皿３７と、このドレン受け皿３７で受けたドレン水９を中和容器１に導くドレン配管７、３６と、このドレン水を中和して排出する中和容器１とを有するものであればよく、特に制限はない。
【００１１】
ここでは、浴室壁面の開口を利用するため、設置スペースをコンパクト化することが可能な利点を有する壁貫通釜を対象として、本発明を適用した場合を取り上げて説明する。しかしながら、本発明の適用される燃焼機器は、このような壁貫通釜に限定されるものではなく、ドレン配管を有する潜熱回収型の燃焼機器に広く適用できるものである。
【００１２】
図１の例では、壁貫通釜は、壁貫通釜本体３をコンパクト化するために、燃焼機器本体３と中和容器１とが分離されており、これらの間は、外部ドレン配管３６によって繋がれている。ただ、寸法制約の少ない潜熱回収型の燃焼機器においては、中和容器１を燃焼機器本体内に収納するのが一般であり、この場合には、燃焼機器本体内でドレン受け皿３７と中和容器１が内部ドレン配管９によって接続される。なお、以下、壁貫通釜本体３内のドレン配管を「内部ドレン配管７」、壁貫通釜本体３外のドレン配管を「外部ドレン配管３６」、これらを区別しない場合には単に「ドレン配管７、３６」と言う。
【００１３】
図１に基づいて、本発明の燃焼機器の動作原理を説明する。まず、湯水の流れについて説明する。湯水が壁貫通釜本体３の給水配管接続部２７から給水なされ、水量センサ３３によって、この湯水が所定の流量に達したか否かが検知される。水量センサ３３を通った湯水は、二次熱交換器８に導かれ、この二次熱交換器８で排気ガスから潜熱を回収する。この潜熱を回収した湯水は、一次熱交換器１０に導かれ、この一次熱交換器で燃焼ガスからの顕熱を回収する。この顕熱を回収した湯水は、混合弁で所定の温度の湯水とされた後、給湯栓から使用される。
【００１４】
次に、燃料ガスの流れについて説明する。燃料ガスは、ガス配管接続部２９からバーナ１１へ供給されて燃焼し、高温の燃焼ガスを発生させる。その燃焼ガスは、まず、給湯一次熱交換器１０を通過し、その際に顕熱を放熱する。顕熱を放熱した後の低温の燃焼ガスは、排気ガスとなる。次に、この排気ガスは二次熱交換器８を通過し、その際に潜熱を放熱する。そして、潜熱を放熱した排気ガスは、大部分は排気口３４から器具外へ排気されるが、一部は以下に述べるドレン水９とともに、ドレン配管７、３６に侵入する。
【００１５】
次に、ドレン水９の流れについて説明する。二次熱交換器８で排気ガスから潜熱が回収されると、排気ガスの温度は、２００℃程度から約６０℃程度まで低下する。これとともに、排気ガスに含まれる水蒸気が凝縮し、二次熱交換器８には結露水が発生する。この結露水は排気ガス中の硫黄成分等を含んでＰＨ２程度の強酸性のドレン水９となる。このため、二次熱交換器８で発生したこのドレン水９は、それを回収するためのドレン受け皿３７にて回収され、内部ドレン配管７に流入する。そして、ドレン配管接続部３２を介して、外部ドレン配管３６を通った後、炭酸カルシウムを充填した中和容器１の入口部に流入する。中和容器１にて中和されたドレン水９は中和容器１のドレン水排出配管２６からＰＨ７程度となり排出される。
【００１６】
図２は、この壁貫通釜本体３を在来工法の浴室に設置した浴室の設置例図であり、浴室洗い場側（浴槽６の長手面）からの見たときの透視図である。図２の例のように、ドレン水を中和するための中和容器１を外部に設けた場合は、外部ドレン配管３６によって、壁貫通釜３と外部の中和容器１が接続され、潜熱回収の際に凝縮した強酸性のドレン水９が中和容器１に導かれる。なお、この図２の例のように、壁貫通釜３を設置した浴室壁と直交する浴室壁４に、中和容器１を設置した場合は、中和容器１内の炭酸カルシウムの残量の確認と補充作業を、エプロン１７を外すのみで行うことができ、利便性が増すので望ましい。
【００１７】
図３は、図２の浴室を浴槽６の短手方向から見たときの透視図である。壁貫通釜３の内部に、潜熱回収用の二次熱交換器８と、この二次熱交換器８で発生するドレン水を通す内部ドレン配管７とを備え、壁貫通釜３の外部に、ドレン水を中和する中和容器１と、この中和容器１に内部ドレン配管７からのドレン水を道導く外部ドレン配管（図示しない。）とを備える。また、壁貫通釜３の下側には、給水配管と、給湯配管と、ガス配管と、風呂往き配管と、風呂戻り配管１６と、外部ドレン配管３６を有している（作図の都合上、風呂戻り配管１６のみを図示する）。
【００１８】
図４はこの壁貫通釜本体３を正面から見た要部透視図を、図５は壁貫通釜本体３を左側面から見た要部透視図を示す。壁貫通釜本体３には、各種配管と接続するための接続部が設けられる。このような接続部としては、壁貫通釜本体３に水を供給する給水配管を接続する給水配管接続部２７と、壁貫通釜本体３で加熱された湯水を浴室内に供給する給湯配管を接続する給湯配管接続部２８と、壁貫通釜本体３に燃料を供給するガス配管を接続するためのガス配管接続部２９と、浴槽水を循環加熱するための風呂往き配管を接続するための風呂往き配管接続部３０と、風呂戻り配管を接続するための風呂戻り配管接続部３１と、外部ドレン配管３６を接続するためのドレン配管接続部３２が挙げられる。
【００１９】
図４、及び、図５に示すように、壁貫通釜本体３内には、二次熱交換器８で発生したドレン水９を受けたドレン受け皿３７からのドレン水９を導く内部ドレン配管７が設けられており、この内部ドレン配管７と外部ドレン配管３６とが、壁貫通釜本体３の前カバー２４に設けられたドレン配管接続部３２によって接続される。
【００２０】
ドレン配管７、３６は、１００℃以上の高温に耐え、ｐＨ２程度の強酸に対する耐食性を有する材質のものであれば特に限定はないが、耐熱性の点から金属製のものが望ましく、耐食性、加工性、コスト等の点から、特に、ＳＵＳ３１６製が望ましい。
【００２１】
図４、及び、図５に示すように、排気ガスのトラップ３８は、内部ドレン配管７の途中に設けられ、かつ、内部ドレン配管７自体によって構成される。つまり、内部ドレン配管７の途中に、内部ドレン配管７の配管内にドレン水９が充満することによって、二次熱交換器８からの排気ガスを通過させないように封鎖する液封部３９が生じるように、内部ドレン配管７の勾配を形成する。具体的には、次段落以降に述べるように、内部ドレン配管７がドレン受け皿３７から前カバー２４に設けられたドレン配管接続部３２に向けて下り勾配を有するように設けられ、この下り勾配の途中に部分的に上り勾配を設けることによってトラップ３８を構成する。
【００２２】
なお、このトラップ３８は、外部ドレン配管３６の途中に、外部ドレン配管３６自体で構成して設けてもよい。その場合は、上述した内部ドレン配管７にトラップ３８を設ける場合と同様に、外部ドレン配管３６は、壁貫通釜本体３の前カバー２４に設けられたドレン配管接続部３２から中和容器１に向って全体としては下り勾配とされ、その途中に部分的に上り勾配を設けることでトラップ３８を構成する。
【００２３】
このように、中和容器１に到るまでの金属製のドレン配管７、３６自体で排気ガスのトラップを構成することによって、個別の部品としてトラップを取り付けるための組み立てが不要であり、かつ、トラップが耐熱性で劣化し難い燃焼機器を提供することができる。しかも、中和容器１の内部にトラップを設ける必要がないため、中和容器１の天部４７まで到る仕切り壁を設ける必要がないので、天部４７に設ける中和剤４４の投入口４９を、仕切り壁４６で仕切られた中和室５１毎に設ける必要がない燃焼機器を提供することができる。
【００２４】
図６〜９に示すように、中和容器１は、その一方の側面に設けられたドレン水９の導入口４３と、この導入されたドレン水９を中和する中和剤４４と、他方の側面に設けられた中和後のドレン水９を排出する排出口４５と、中和容器１の幅方向における導入口４３と排出口４５との間に上下方向に設けられた仕切り壁４６とを有し、仕切り壁４６は、中和容器１の天部４７及び底部４８の手前まで到るように設けられ、天部４７の一部に、仕切り壁４６を跨ぐように、中和剤４４の投入口４９が設けられる。これにより、中和剤の投入口がひとつであっても、仕切り壁の両側に中和剤の投入が可能でメンテンス作業がし易い燃焼機器を提供することができる。
【００２５】
ドレン水９の導入口４３とは、ドレン配管接続部５０とは異なり、中和剤４４が充填され、中和処理が行われる中和室５１にドレン水９が導入される部位をいう。具体的には、中和室５１内の中和剤４４が外部に流出しないように、流路を狭くしたスリット５２が該当する。ドレン水９の排出口４５とは、中和剤４４が充填され、中和処理が行われる中和室５１からドレン水９が流出する部位をいい、具体的には、中和室５１内の中和剤４４が外部に流出しないように、流路を狭くしたスリット５２が該当する。中和剤４４の投入口４９とは、中和容器１の天部４７の一部に設けられた開口をいい、この投入口４９から上方に向かって外壁を立ち上がらせて、蓋５４を取付けるための蓋取付け部５３が設けられる。
【００２６】
図６、図７に示すように、中和剤４４の投入口４９が円形の開口を有し、開口の幅方向の一方の端部５５と仕切り壁上端５７との距離Ａ、及び、他方の端部５６と仕切り壁上端５７との距離Ｂが、何れも開口の直径５８Ｃ以上とされる。これにより、中和剤４４の投入口４９がひとつであっても、投入口４９から仕切り壁４６の両側の中和室５１に向かって広い通路が確保されるため、仕切り壁４６を跨いだ何れの側にも中和剤４４の投入が容易で、メンテンス作業がし易い燃焼機器を提供することができる。また、中和室５１でのドレン水９の流路は中和能力の観点からできるだけ長くしたいため、仕切り壁下端５９と中和容器１の底部４８との距離Ｄはできるだけ小さくするのが望ましいが、この場合、中和剤４４が仕切り壁下端５９に邪魔されて幅方向に移動できず、中和室５１に中和剤４４を充填することが困難である。しかしながら、このような場合であっても、上記のような構成とすれば、中和剤４４の投入口４９がひとつであっても、投入口４９から仕切り壁４６の両側の中和室５１に向かって広い通路が確保されるため、仕切り壁４６を跨いだ何れの側の中和室５１にも中和剤４４の投入が容易となる。
【００２７】
図６に示すように、天部４７に設けた投入口４９の開口の幅方向の一方の端部５５と仕切り壁上端５７との距離Ａ、及び、他方の端部５６と仕切り壁上端５７との距離Ｂが、仕切り壁下端５９から底部４８までの距離Ｄよりも大きく設けられる。これにより、中和剤４４の投入し易さを確保しつつ、仕切り壁下端５９から底部４８までの距離Ｄは小さくできるため、中和室５１でのドレン水９の流路をできるだけ長くすることができ、中和能力の優れた燃焼機器を提供することができる。
【００２８】
図７に示すように、中和容器１の横断面が略長方形であり、投入口４９及びこの投入口４９に設けられる蓋５４が、平面視で、前記横断面の短尺方向（奥行き方向）の長さと略等しい直径５８を有する円形とされる。図７に示すように、中和容器１は、設置の都合や省スペース化への対応のため、奥行き方向に薄い形状とされる場合が多く一方で、投入口４９はできるだけ広くとる方が中和剤４４の投入し易さの観点から有利であるが、中和容器１の横断面の短尺方向（奥行き方向）の長さ（奥行き）よりも、横断面の長尺方向（幅方向）の長さ（幅）が大きいと、投入口４９は円形ではなくなり、汎用の蓋が使用できない問題がある。しかしながら、投入口４９及びこの投入口４９に設けられる蓋５４が、平面視で、前記横断面の短尺方向（奥行き方向）の長さ（奥行き）と略等しい直径を有する円形とすることによって、汎用の蓋を使用することができ、低コスト化を図ることができる。
【００２９】
図６に示す仕切り壁上端５７は、ドレン水９の導入口４３の上端と同等の高さであり、かつ、仕切り壁下端５９が排出口４５の下端よりも低い位置まで到るように設けられるのが望ましい。これにより、中和容器１に導入されたドレン水９が、略Ｕ字形の流路を形成する。中和室５１内いっぱいに中和剤４４を充填した状態としておくと、使用に伴い中和剤４４が徐々に減少し、その減少の速度が仕切り壁４６の一方の側と他方の側で異なる場合でも、仕切り壁上端５７がドレン水９の導入口４３の上端と同等の高さまで下げられているため、中和剤４４が減少の早い方の側に流動することにより、中和剤４４の減少を偏りを抑制することができる。また、仕切り壁上端５４をドレン水９の導入口４３の上端と同等の高さにすることにより、流入口４３から流入するドレン水９の勢いが強くても、仕切り壁４６を乗り越えないようにすることができる。
【００３０】
図６、図９に示すように、排出口４５（スリット５２）の下流の予備室６０には、中和後のドレン水９を浴室床面２５に流出させるための流出口６１が設けられるが、この流出口６１よりも高い位置に予備流出口６２を設けるのが望ましい。中和容器１を燃焼機器本体の外部である浴室内に設置すると、燃焼機器本体を小型にすることができ、さらに、万が一、中和剤４４が消耗した場合等により、中和が不十分となった場合でも、浴室で使用した湯水や石鹸水により希釈、中和され、ドレン水が中和不十分のまま流出されるのを抑制することができる。このように、中和容器１を浴室内に設置した場合、中和容器１の流出口６１と浴室床面２５が近いと、浴室で使用した湯水が捨てられた際、一時的に浴室床面２５上の水位が上昇し、中和容器１の流出口６１を塞いでしまうことがある。このように、一時的でも中和容器１の流出口６１が塞がれると、ドレン水９の上流から下流への流れが停滞し、ひどい場合は逆流することとなり、ドレン水９のレベルが上昇することから、異常と検出され、燃焼機器の運転に支障を及ぼすことがある。しかしながら、上記のように、流出口６１よりも高い位置に予備流出口６２を設けることで、浴室床面２５上の水位が上昇し、中和容器１の流出口６１が塞がれても、ドレン水９の流れを妨げることがなく、異常と検出されたり、燃焼機器の運転に支障を及ぼすことを抑制することができる。
【００３１】
図６、図９に示すように、予備流出口６２は、導入口４３の下端よりも低い位置に設けるのが望ましい。これにより、浴室床面２５上の水位が上昇し、中和容器１の流出口６１が塞がれても、ドレン配管７、３６から導入口４３を通じた中和容器１へのドレン水９の流入を妨げるのを抑制することができる。また、予備流出口６２は、予備室６０内に設けるのが望ましい。これにより、中和剤４４がドレン水９の流出を妨げることを抑制できる。
【００３２】
図６、図９に示すように、流出口６１、及び、予備流出口６２は、浴室床面２５に近い位置に設けるのが望ましい。特に流出口６１からは、燃焼機器の二次熱交換器８を使用して潜熱回収をする運転をしている間、常にドレン水９が流出するため、滴下音を抑えるためには、浴室床面２５から１００ｍｍ以内にするのが望ましい。これにより、中和後のドレン水９が流出口６１、または、予備流出口６２から浴室床面２５等に流出しても、滴下音を抑制することができ、使用者に不快感を与えるのを抑制することができる。
【実施例】
【００３３】
本実施例の燃焼機器は、図１の動作原理図に示すように、燃料ガスを燃焼するバーナ１１と、このバーナ１１で発生した燃焼ガスから顕熱を回収する一次熱交換器１０と、この一次熱交換器１０を通過した排気ガスから潜熱を回収する二次熱交換器８と、この２次熱交換器８で凝縮したドレン水９を受けるドレン受け皿３７と、このドレン受け皿３７で受けたドレン水９を中和容器１に導くドレン配管７、３６と、このドレン水を中和して排出する中和容器１とを有するものである。
【００３４】
本実施例は、燃焼機器の一種であり、浴室壁面の開口を利用するため、設置スペースをコンパクト化することが可能な利点を有する壁貫通釜に、本発明を適用したものである。
【００３５】
図２に示すように、壁貫通釜本体３をコンパクト化するために、壁貫通釜本体３と中和容器１とを分離し、これらの間は、外部ドレン配管３６によって接続した。
【００３６】
図３に示すように、壁貫通釜３の内部に、潜熱回収用の二次熱交換器８と、この二次熱交換器８で発生するドレン水を通す内部ドレン配管７とを設け、壁貫通釜３の外部に、ドレン水を中和する中和容器１と、この中和容器１に内部ドレン配管７からのドレン水を道導く外部ドレン配管３６とを設けた。また、壁貫通釜３の下側には、給水配管と、給湯配管と、ガス配管と、風呂往き配管と、風呂戻り配管１６と、外部ドレン配管３６を設けた（作図の都合上、風呂戻り配管１６のみを図示する）。
【００３７】
図４、及び、図５に示すように、壁貫通釜本体３には、各種配管と接続するための接続部を設けた。即ち、接続部として、壁貫通釜本体３に水を供給する給水配管を接続する給水配管接続部２７と、壁貫通釜本体３で加熱された湯水を浴室内に供給する給湯配管を接続する給湯配管接続部２８と、壁貫通釜本体３に燃料を供給するガス配管を接続するためのガス配管接続部２９と、浴槽水を循環加熱するための風呂往き配管を接続するための風呂往き配管接続部３０と、風呂戻り配管を接続するための風呂戻り配管接続部３１と、外部ドレン配管３６を接続するためのドレン配管接続部３２を設けた。
【００３８】
図４、及び、図５に示すように、壁貫通釜本体３内には、二次熱交換器８で発生したドレン水９を受けたドレン受け皿３７からのドレン水９を導く内部ドレン配管７を設け、この内部ドレン配管７と外部ドレン配管３６とを、壁貫通釜本体３の前カバー２４に設けられたドレン配管接続部３２によって接続した。ドレン配管７、３６は、ＳＵＳ３１６製のものを使用した。
【００３９】
図４、及び、図５に示すように、排気ガスのトラップ３８は、内部ドレン配管７の途中に、内部ドレン配管７自体によって構成した。つまり、内部ドレン配管７の途中に、内部ドレン配管７の配管内にドレン水９が充満することによって、二次熱交換器８からの排気ガスを通過させないように封鎖する液封部３９が生じるように、内部ドレン配管７の勾配を形成した。具体的には、内部ドレン配管７をドレン受け皿３７から前カバー２４に設けられたドレン配管接続部３２に向けて下り勾配を有するように設け、この下り勾配の途中に部分的に上り勾配を設けることによってトラップ３８を構成した。
【００４０】
図６〜８に示すように、中和容器１は、その一方の側面に設けられたドレン水９の導入口４３と、この導入されたドレン水９を中和する中和剤４４と、他方の側面に設けられた中和後のドレン水９を排出する排出口４５と、中和容器１の幅方向における導入口４３と排出口４５との間に上下方向に設けられた仕切り壁４６とを有し、仕切り壁４６は、中和容器１の天部４７及び底部４８の手前まで到るように設けられ、天部４７の一部に、仕切り壁４６を跨ぐように、中和剤４４の投入口４９を設けた。この投入口４９から上方に向かって外壁を立ち上がらせて、蓋５４を取付けるための蓋取付け部５３を設けた。
【００４１】
図６、図７に示すように、中和剤４４の投入口４９が円形の開口を有し、開口の幅方向の一方の端部５５と仕切り壁上端５７との距離Ａ、及び、他方の端部５６と仕切り壁上端５７との距離Ｂが、何れも投入口４９の開口の直径５８以上とした。
【００４２】
図６に示すように、天部４７に設けた投入口４９の開口の幅方向の一方の端部５５と仕切り壁上端５７との距離、及び、他方の端部５６と仕切り壁上端５７との距離が、仕切り壁下端５９から底部４８までの距離よりも大きく設けられる。
【００４３】
図８に示すように、中和容器１の横断面が略長方形であり、投入口４９及びこの投入口４９に設けられる蓋５４が、平面視で、前記横断面の短尺方向（奥行き方向）の長さと略等しい直径５８を有する円形とされる。投入口４９に設けられる蓋５４は、汎用の蓋を使用した。
【００４４】
図６に示すように、仕切り壁上端５７がドレン水９の導入口４３の上端と同等の高さであり、かつ、仕切り壁下端５９が排出口４５の下端よりも低い位置まで到るように設けた。
【００４５】
図６、図９に示すように、排出口４５（スリット５２）の下流の予備室６０には、中後のドレン水９を浴室床面２５に流出させるための流出口６１が設けられるが、この流出口６１よりも高い位置に予備流出口６２を設けた。なお、図６等からわかるように、中和容器１は、燃焼機器本体の外部である浴室内に設置し、浴室で使用した湯水や石鹸水と同じ流路で排出されるようにした。図６、図９に示すように、予備流出口６２は、導入口４３の下端よりも低い位置に設けた。また、予備流出口６２は、予備室６０内に設けた。図６、図９に示すように、流出口６１、及び、予備流出口６２は、浴室床面２５から約７０ｍｍの位置に設けた。
【図面の簡単な説明】
【００４６】
【図１】本発明の一実施例である壁貫通釜の基本構成と動作原理を表わす模式図である。
【図２】本発明の一実施例である壁貫通釜の設置例図であり、浴室洗い場側（浴槽の長手面）からの見たときの透視図である。
【図３】本発明の一実施例である壁貫通釜の設置例図であり、浴槽の短手面からの見たときの透視図である。
【図４】本発明の一実施例である壁貫通釜本体を正面から見た要部透視図である。
【図５】本発明の一実施例である壁貫通釜本体を左側面から見た要部透視図である。
【図６】本発明の一実施例である壁貫通釜に用いた中和容器の正面からみた断面図である。
【図７】本発明の一実施例である壁貫通釜に用いた中和容器の上面からみた透視図である。
【図８】本発明の一実施例である壁貫通釜に用いた中和容器の導入口側の側面からみた導入口（スリット）を通る垂直断面図である。
【図９】本発明の一実施例である壁貫通釜に用いた中和容器の排出口側の側面からみた透視図である。
【符号の説明】
【００４７】
１…中和容器、３…壁貫通釜本体、４…浴室壁、５…開口スペース、６…浴槽、７…内部ドレン配管、８…二次熱交換器、９…ドレン水、１０…一次熱交換器、１１…バーナ、１２…給水配管、１３…給湯配管、１４…ガス配管、１５…風呂往き配管、１６…風呂戻り配管、１７…エプロン、１８…ドレン詰り検出部、２４…前カバー、２５…浴室床、２６…ドレン水排出配管、２７…給水配管接続部、２８…給湯配管接続部、２９…ガス配管接続部、３０…風呂往き配管接続部、３１…風呂戻り配管接続部、３２…ドレン配管接続部、３３…水量センサ、３４…排気口、３６…外部ドレン配管、３７…ドレン受け皿、３８…トラップ、３９…液封部、４３…導入口、４４…中和剤、４５…排出口、４６…仕切り壁、４７…天部、４８…底部、４９…投入口、５０…ドレン配管接続口、５１…中和室、５２…スリット、５３…蓋取付け部、５４…蓋、５５…一方の端部、５６…他方の端部、５７…仕切り壁上端、５８…開口の直径、５９…仕切り壁下端、６０…予備室、６１…流出口、６２…予備流出口、
【図１】
2009115427.tif 000003
【図２】
2009115427.tif 000004
【図３】
2009115427.tif 000005
【図４】
2009115427.tif 000006
【図５】
2009115427.tif 000007
【図６】
2009115427.tif 000008
【図７】
2009115427.tif 000009
【図８】
2009115427.tif 000010
【図９】
2009115427.tif 000011